(57)【要約】【課題】出隅を挟んで左右に配設されたタイルユニットのタイルの前面に凹凸が存在する場合でも、複数個のタイルにまたがった意匠の連続性を向上させる。【解決手段】タイルユニット１０は、２種類の細長いタイル１１，１２を交互に同一本数だけ平行に配列し、ガラス繊維ネット１３を各タイル１１，１２の裏面に接着して一体化したものである。第２のタイル１２の一端を正面から見た場合の凹凸形状は、タイル１１，１２を各々の端面１１ｅ，１２ｅ側から見たときの側面視形状と同一である。右側のタイルユニット１０のタイル１２の一端面１２ｅ側が左側のタイルユニット１０のタイル１２の一端面１２ｅ，１２ｅ側同士の間に入り込むように張る。右側のタイルユニット１０のタイル１２の一端面１２ｅが左側のタイルユニット１０のタイル１１の前面と面一状となる。【選択図】図３
2010196363.tif 000002
【特許請求の範囲】
【請求項１】
長方形のタイルが、長手方向を平行にして２列以上配置され、それらの裏面に貼着されたネット又はシート状の連結体によって連結されており、
該タイルユニットのタイル長手方向一端側にあっては、奇数列目の第１のタイルの端面が偶数列目の第２のタイルの端面よりも略タイル厚み分だけ後退しているタイルユニットにおいて、
該第１のタイル及び第２のタイルの少なくとも該一端側の前面は凹凸面となっており、
該第２のタイルの該一端側の端面をタイル正面側から見た正面視形状は、該第１のタイルの該一端側近傍におけるタイル長手方向と直交方向の断面形状と略同一であることを特徴とするタイルユニット。
【請求項２】
請求項１において、前記第１のタイルの前記一端側の端面の少なくとも一部は、該第１のタイルの長手方向と直交方向に延在した平坦面となっていることを特徴とするタイルユニット。
【請求項３】
請求項２において、該第１のタイルの該一端側の端面の全体が平坦面となっていることを特徴とするタイルユニット。
【請求項４】
請求項２又は３において、第１のタイルと第２のタイルとが交互に配列されており、
各第１のタイルの前記平坦面が一直線状に揃っていることを特徴とするタイルユニット。
【請求項５】
請求項１ないし４のいずれか１項において、前記第１のタイルの前記一端側における断面形状及び前記第２のタイルの前記一端側における端面の正面視形状及び第１のタイルの前記一端側近傍における前記断面形状は、タイルの幅方向において対称形状であることを特徴とするタイルユニット。
【請求項６】
請求項５において、前記第１及び第２のタイルの前面は、一端側から他端側まで延在した凸条又は凹条を有することを特徴とするタイルユニット。
【請求項７】
請求項１ないし６のいずれか１項に記載の複数のタイルユニットを出隅部の壁面に張り付けたタイル壁であって、
タイルユニットの一端側における各タイル同士の間に対し、出隅を挟んで隣接配置されたタイルユニットの一端側におけるタイルの端部が入り込むように各タイルユニット同士を係合させてあることを特徴とするタイル壁。
【請求項８】
請求項７において、タイルユニットの前記第１のタイルの前記一端側の端面は、出隅から所定距離だけ後退していることを特徴とするタイル壁。
【発明の詳細な説明】
【技術分野】
【０００１】
本発明は、複数個のタイルユニットを紙、フィルム、ネット等の連結体によって連結したタイルユニットに関するものであり、特に、この連結体がタイルの裏面に接着されているタイルユニットに関する。また、本発明は、このタイルユニットを張り付けたタイル壁に関するものである。
【背景技術】
【０００２】
タイルユニットとして、タイルの裏面に、隣接するタイルに架け渡すように薄い合成樹脂フィルムや紙などよりなる連結体を接着剤で接着することにより、複数個のタイルを連結したものがある。このタイルユニットは、１回のタイル張り操作で、複数個のタイルを施工することができ、施工作業の軽減、工期の短縮に有効であることから、従来、内外装用タイルの施工用に広く用いられている。
【０００３】
このようなタイルユニットは、複数個のタイルを、裏面を上にして型枠などに入れて整列させ、紙などの連結体をタイル裏面に接着することにより製造されている（例えば、特開平８−１０９７３０号公報）。合成樹脂フィルムや紙の代わりに、ガラス繊維等の高弾性率の繊維よりなるネットをタイル整列体の裏面に接着したタイルユニットも近年開発されている。
【０００４】
特開２００６−８３５３６の図６〜図９にはこのようなタイルユニットを用いて出隅を構築する構成が示されている。第９図及び第１０図は同号公報の図８，９のタイルユニット及びタイル壁出隅部を示すものである。
【０００５】
このタイルユニット２０は、２種類の細長いタイル２１，２２を平行に且つ１段毎に左右位置を交互にずらして配列し、連結体（図示略）を各タイル２１，２２の裏面に接着して一体化したものである。
【０００６】
第９図の右側のタイルユニット２０では、出隅側に突出する端面Ｒは上から奇数段に配置されている。第９図の左側のタイルユニット２０にあっては、出隅側に突出する端面Ｌは上から偶数段に配置されている。
【０００７】
このように、左側タイルユニット２０の右端部におけるタイル２１，２２の出入りは、上から奇数段が凹になり、右側のタイルユニットの左端部におけるタイル２１，２２の出入りは上から奇数段が凸になる。従って第１０図の通り、出隅を挟んだ双方のタイルユニット２０の端部同士を出隅で係合させることができる。
【０００８】
この第１０図のタイル壁では、出隅においても出隅両側のタイルユニット２０のタイル２１，２２の端部同士が噛合状に係合しており、見栄えが極めて良好である。
【先行技術文献】
【特許文献】
【０００９】
【特許文献１】特開平８−１０９７３０号公報
【特許文献２】特開２００６−８３５３６号公報
【発明の概要】
【発明が解決しようとする課題】
【００１０】
第９，１０図に示す従来のタイルユニットにあっては、タイル２１，２２の前面はフラットなものとして図示されており、前面に凹凸が存在する場合についての言及は上記特許文献２にはない。
【００１１】
第９，１０図のタイルユニット及びタイル壁においてタイル前面に比較的大きな凹凸が存在すると、出隅よりも左側又は右側の壁面に張られたタイルユニットのタイル２１の端面（所謂コバ面）Ｅ又はＲと、出隅よりも右側又は左側の壁面のタイル２１，２２の前面とが意匠上のまとまりを欠いたものとなり、美観が損なわれるおそれがある。
【００１２】
即ち、例えば、第１０図の左側のタイルユニット２０のタイルの右端側の突出端面Ｅと、右側のタイルユニットのタイル２１，２２の前面とは略面一状になるが、この端面Ｅが平坦であると、タイル２１，２２の前面の凹凸と著しく外観が異なったものとなり、美観が低下する。
【００１３】
本発明は、このような問題点を解決し、出隅を挟んで左右に配設されたタイルユニットのタイルの前面に凹凸が存在する場合でも、出隅部における意匠に連続性を持たせることを目的とする。
【課題を解決するための手段】
【００１４】
請求項１のタイルユニットは、長方形のタイルが、長手方向を平行にして２列以上配置され、それらの裏面に貼着されたネット又はシート状の連結体によって連結されており、該タイルユニットのタイル長手方向一端側にあっては、奇数列目の第１のタイルの端面が偶数列目の第２のタイルの端面よりも略タイル厚み分だけ後退しているタイルユニットにおいて、該第１のタイル及び第２のタイルの少なくとも該一端側の前面は凹凸面となっており、該第２のタイルの該一端側の端面をタイル正面側から見た正面視形状は、該第１のタイルの該一端側近傍におけるタイル長手方向と直交方向の断面形状と略同一であることを特徴とするものである。
【００１５】
請求項２のタイルユニットは、請求項１において、前記第１のタイルの前記一端側の端面の少なくとも一部は、該第１のタイルの長手方向と直交方向に延在した平坦面となっていることを特徴とするものである。
【００１６】
請求項３のタイルユニットは、請求項２において、該第１のタイルの該一端側の端面の全体が平坦面となっていることを特徴とするものである。
【００１７】
請求項４のタイルユニットは、請求項２又は３において、第１のタイルと第２のタイルとが交互に配列されており、各第１のタイルの前記平坦面が一直線状に揃っていることを特徴とするものである。
【００１８】
請求項５のタイルユニットは、請求項１ないし４のいずれか１項において、前記第１のタイルの前記一端側における断面形状及び前記第２のタイルの前記一端側における端面の正面視形状及び第１のタイルの前記一端側近傍における前記断面形状は、タイルの幅方向において対称形状であることを特徴とするものである。
【００１９】
請求項６のタイルユニットは、請求項５において、前記第１及び第２のタイルの前面は、一端側から他端側まで延在した凸条又は凹条を有することを特徴とするものである。
【００２０】
請求項７のタイル壁は、請求項１ないし６のいずれか１項に記載の複数のタイルユニットを出隅部の壁面に張り付けたタイル壁であって、タイルユニットの一端側における各タイル同士の間に対し、出隅を挟んで隣接配置されたタイルユニットの一端側におけるタイルの端部が入り込むように各タイルユニット同士を係合させてあることを特徴とするものである。
【００２１】
請求項８のタイル壁は、請求項７において、タイルユニットの前記第１のタイルの前記一端側の端面は、出隅から所定距離だけ後退していることを特徴とするものである。
【発明の効果】
【００２２】
本発明のタイルユニットは、奇数列目に配置された第１のタイルの端面が偶数列目の第２のタイルの端面よりも略タイルの厚み分だけ後退している。この第１のタイル及び第２のタイルは、少なくとも長手方向両端側の前面が凹凸面となっている。出隅を挟んで左側及び右側にそれぞれこのタイルユニットを、各タイルユニットのタイル一端側が出隅側となるように配置し、両タイルユニットの一端側同士を係合させてタイル壁を構築する。構築されたタイル壁にあっては、第２のタイルの一端側の端面が、出隅を挟んで隣接するタイルユニットの第１のタイルの前面と略面一状となる。本発明では、この第１のタイルの前面と第２のタイルの一端側の端面とが略同一凹凸意匠面となっているため、該第１のタイルの前面から第２のタイルの一端側の端面にかけて意匠が連続したものとなり、美観が向上する。
【００２３】
請求項２〜４のタイルユニットにあっては、出隅に張るときに、第１のタイルの一端側の端面を出隅の角縁や、それから、所定距離離隔した基準線（例えば水糸）に合わせることにより、タイルユニットを正確に位置決めすることができる。
【００２４】
請求項５のタイルユニットにあっては、出隅よりも左側に張るタイルユニットを出隅よりも右側に張るタイルユニットと上下逆にしたものとすることができる。この場合でも、第２のタイルの一端側の前面と、出隅を挟んで隣接するタイルユニットの第１のタイルの端面との意匠の連続性が良好である。
【００２５】
請求項６のタイルユニットは、これを出隅の左右両側に張った場合に、一方のタイルユニットの第２のタイルの端面から他方のタイルユニットの第１のタイルの他端まで略連続して凸条又は凹条が延在することになり、連続感の高い横筋状の意匠面を構成することができる。
【００２６】
請求項８のタイル壁にあっては、出隅を挟んで左側及び右側に張られたタイルユニットの第１のタイルの一端側の端面と、それが対面する第２のタイルの背面との間に所定の間隙があいている。従って、地震などによって建物が揺れても、該第１のタイルの一端側端面が第２のタイルの一端側の背面に当たることが防止される。
【図面の簡単な説明】
【００２７】
【図１】実施の形態に係るタイルユニットの斜視図である。
【図２】図１のタイルユニットの背面図である。
【図３】図１のタイルユニット同士の係合関係を示す斜視図である。
【図４】図１のタイルユニットの施工方法の説明図である。
【図５】図１のタイルユニットの施工方法の説明図である。
【図６】図１のタイルユニットの施工方法の説明図である。
【図７】構築されたタイル壁の出隅部における拡大立面図である。
【図８】出隅におけるタイルユニット同士の係合関係を示す拡大斜視図である。
【図９】従来のタイルユニットの斜視図である。
【図１０】従来のタイル壁の斜視図である。
【発明を実施するための形態】
【００２８】
以下、図面を参照して実施の形態について説明する。まず、第１，２図を参照して実施の形態に係るタイルユニット１０について説明する。
【００２９】
このタイルユニット１０は、２種類の細長いタイル１１，１２を交互に同一本数だけ平行に配列し、ガラス繊維ネット１３よりなる連結体を各タイル１１，１２の裏面に接着して一体化したものである。このタイル１１，１２の短手幅は同一である。
【００３０】
タイル１１，１２間の目地幅はタイルユニット全体において同一である。
【００３１】
第１図では、タイル１１，１２は合計で８本だけ示されているが、この実施の形態では実際には第２図の通り合計１２本のタイル１１，１２がネット１３によって連結されている。タイル数は偶数であることが好ましい。
【００３２】
各タイル１１，１２は、前面の短手幅方向の中央部が盛り上るように肉厚となっており、この前面の中央部をタイル長手方向の一端から他端まで延在するように凹条１１ａ，１２ａが延設されている。凹条１１ａ，１２ａの両側（タイル短手幅方向の両側）には、タイル１１，１２の一端から他端まで延在する凸条１１ｂ，１２ｂが設けられている。各凸条１１ｂ，１２ｂからタイル１１，１２の側縁にかけては、なだらかな下り勾配の斜面１１ｃ，１２ｃとなっている。
【００３３】
第１のタイル１１の一端面１１ｅ及び他端面１１ｆは、タイル１１の長手方向と直交する平坦面となっている。
【００３４】
タイル１１，１２の短手幅寸法、前面の凹凸形状は同一である。
【００３５】
各タイル１１は、一端面１１ｅが一直線状に揃うように配列されている。各タイル１２は、一端面１２ｅが該一端面１１ｅから所定長さＬ突出している。各タイル１２のこの突出長さは同一である。
【００３６】
第２のタイル１２の一端面１２ｅは、短手幅方向の中央部がタイル１２の長手方向の延長方向に突出する非平坦面形状となっている。この一端面１２ｅの中央部には、タイル厚み方向に縦通する溝１２Ａが設けられている。この溝１２Ａは、タイル１２の前面から背面にまで達している。溝１２Ａの両側は最も該延長方向に突出した凸部１２Ｂ，１２Ｂとなっている。この凸部１２Ｂ，１２Ｂからタイル１２の両側縁にかけては、徐々に後退する後退面１２Ｃ，１２Ｃとなっている。
【００３７】
第２のタイル１２の第１図の左端部を正面から見た場合の凹凸形状は、タイル１１，１２を端面１１ｅ，１１ｆ，１２ｅ，１２ｆ側から見たときの側面視形状と同一である。
【００３８】
各タイル１１の一端面１１ｅから各タイル１２の一端面１２ｅの側辺部の先端部までの突出長さＬは、各タイル１１ｅの側辺部の厚さＴよりも所定長さ大きいものとなっている。この長さＬと厚さｔとの差（Ｌ−Ｔ）は好ましくは−３〜＋３ｍｍ特に−１〜＋１ｍｍである。
【００３９】
この実施の形態では、第１のタイル１１の長手方向の長さは第２のタイル１２の長手方向の長さよりも大きく、タイル１１の他端面１１ｆはタイル１２の他端面１２ｆよりもタイル長手方向に延出している。
【００４０】
このタイルユニット１０を出隅に張る手順について第３図〜第７図を参照して説明する。第３図〜第７図では、壁下地はボート等よりなる下地板１５，１６にて構成されている。この説明では、出隅１７（第５図）よりも左側の下地板１５にまずタイルユニット１０を張るが、右側に先に張ってもよいことは明らかである。また、左側と右側とでタイルユニットの上下を図示と逆にしてもよい。
【００４１】
まず、下地面に接着剤を塗布しておく。第１のタイル１１が最上辺となるようにしたタイルユニット１０を左側の下地板１５に張る。この際、第５図の通り、第１のタイル１１の一端面１１ｅが出隅１７から所定距離ｔだけ後退し、第２のタイル１２の一端面１２ｅ側が出隅１７から所定長さＦだけ突出するように位置決めする。この位置決めは、下地板１５に水糸を張っておいたり、掛書き線を入れたりすることによって正確に行ってもよいが、適宜のスペーサを用いたりしてもよい。
【００４２】
出隅１７からの後退長さｔは、第２のタイル１２の一端面１２ｅの突出長さＦが、第１のタイル１１の前記厚さＴと、接着剤層厚さ（下地板１６にタイルユニット１０を張ったときの接着剤層の厚さ）との合計となるようにするのが好ましい。
【００４３】
このように左側の下地板１５にタイルユニット１０を張った後、右側の下地板１６に、第２のタイル１２が最上辺となるようにしたタイルユニット１０を張る。この際、右側のタイルユニット１０のタイル１２の出隅側が左側のタイルユニット１０のタイル１２，１２の出隅側同士の間に入り込むようにする。また、右側のタイルユニット１０のタイル１２の一端面１２ｅが左側のタイルユニット１０のタイル１１の前面と面一状となるようにする。
【００４４】
これにより、第７図の通り、出隅付近を下地板１５又は１６と正対方向から見たときに、出隅の左右一方の側のタイル一端面１２ｅが他方の側のタイル１１の前面と面一状に揃ったものとなる。
【００４５】
また、第７図及び第８図の通り、出隅の左右一方のタイル１２の一端面１２ｅの溝１２Ａ、突部１２Ｂ及び後退部１２Ｃが、他方のタイル１１の凹条１１ａ、凸条１１ｂ及び斜面１１ｃとそれぞれ面一状に揃ったものとなる。
【００４６】
このようなことから、出隅付近の意匠が左右に連続したものとなり、美観が著しく良好となる。
【００４７】
また、この実施の形態では、第１のタイル１１の一端面１１ｅが出隅１７から距離ｔだけ後退しており、この一端面１１ｅと、それが対面するタイル１２の背面との間に間隙が存在する。そのため、地震によって建物が揺れた場合でも、一端面１１ｅがタイル１２の背面に当ることが防止される。これにより、当接音が発生することが防止される。また、一端面１１ｅがタイル１２を背面から押すことに起因してタイル１２に対し下地板から剥離方向に力が加えられることも防止される。
【００４８】
上記説明ではタイル一端面１２ｅの凹凸形状がタイル１１の前面の凹凸形状と同一であるとしたが、これは全く完全に同一である必要はなく、両者のシルエットが略同一であれば足りる。具体的には、両者の凹凸形状を重ね合わせたときに、±１ｍｍ以内のずれであれば出隅付近の美観は十分に良好となる。
【００４９】
なお、出隅にタイルユニット１０を張った後、第６図のようにこれに隣接してタイルユニット３０を張って壁面全体のタイル張りを行う。
【００５０】
上記実施の形態は本発明の一例であり、本発明は図示以外の形態とされてもよい。たとえば、タイルユニットのタイルの枚数は図示以外でもよく、タイル前面及び端面の凹凸形状も図示以外とされてもよい。
【００５１】
上記実施の形態では、タイル１１の端面１１ｅ，１１ｆ，１２ｆは全体として平坦面とされているが、部分的には平坦でない箇所があってもよい。
【００５２】
上記実施の形態では、タイル１１，１２の前面の凹条１１ａ，１２ａ及び凸条１１ｂ，１２ｂはタイル１１，１２の全長にわたって延在するものとしているが、近傍だけかかる形状とし、その他は別形状としてもよい。ただし、図示のように凹条及び凸条をタイル全長にわたって延在させることにより、横筋状の美麗な仕上りとすることができる。
【符号の説明】
【００５３】
１０，２０  タイルユニット
１１，２１  第１のタイル
１２，２２  第２のタイル
１１ａ，１２ａ  凹条
１１ｂ，１２ｂ  凸条
１１ｃ，１２ｃ  斜面
１２Ａ  溝
１２Ｂ  突部
１２Ｃ  後退部
１３  連続ネット
【図１】
2010196363.tif 000003
【図２】
2010196363.tif 000004
【図３】
2010196363.tif 000005
【図４】
2010196363.tif 000006
【図５】
2010196363.tif 000007
【図６】
2010196363.tif 000008
【図７】
2010196363.tif 000009
【図８】
2010196363.tif 000010
【図９】
2010196363.tif 000011
【図１０】
2010196363.tif 000012